(57)【要約】【課題】無線通信モジュールと中央演算ユニットと複数のデータ処理ソフトウェアとを含む遠隔通信用のモバイル端末装置のパフォーマンスを最適化する方法を提供する。【解決手段】モバイル端末装置の性能を最適化する方法ば、この方法は、外部ソースから端末装置の移動速度を捕捉するステップ（ステップ２、４）と、捕捉された速度をデータ処理ソフトウェア８、１０、１２、１４…のそれぞれに配信するステップ（ステップ６）とを含む。データ処理ソフトウェアは、端末装置の動作性能を最適化するためのものであって、それぞれ、例えば、セル探索アルゴリズムと、閉ループ電力制御アルゴリズムと、電力を節約するために送信ダイバーシチを非活動化するアルゴリズムと、に対応する。【選択図】    図１
2004229302.tif 000002
【特許請求の範囲】
【請求項１】
無線通信モジュールと中央演算ユニットと複数のデータ処理ソフトウェアとを含むモバイル端末装置の性能を最適化する方法であって、
前記モバイル端末装置の移動速度を外部ソースから捕捉するステップと、
捕捉された移動速度を前記データ処理ソフトウェアのそれぞれに配信するステップと、
を含む方法。
【請求項２】
前記捕捉された移動速度が、各データ処理ソフトウェアによる処理の性質、および前記移動速度の値に応じて配信される、請求項１に記載の方法。
【請求項３】
前記移動速度の捕捉が、手動で行われる、請求項１に記載の方法。
【請求項４】
前記移動速度が、自動的にリアルタイムで前記モバイル端末装置によって検出される、請求項１に記載の方法。
【請求項５】
無線通信モジュールと、中央演算ユニットと、モバイル端末装置の動作性能を最適化するための複数のデータ処理ソフトウェアと、を含むモバイル端末装置であって、
前記端末装置の移動速度を外部ソースから捕捉するための通信インターフェースと、
捕捉された前記移動速度を前記データ処理ソフトウェアのそれぞれに配信するためのコマンドモジュールと、
をさらに含むモバイル端末装置。
【請求項６】
前記通信インターフェースは、前記モバイル端末装置の移動速度を無線で受信する手段を含む、請求項５に記載のモバイル端末装置。
【請求項７】
捕捉された前記移動速度を基地局に送信するための手段を含む、請求項５に記載のモバイル端末装置。
【発明の詳細な説明】
【技術分野】
【０００１】
本発明は、遠隔電気通信の分野に属し、より具体的には、無線通信モジュールと、中央演算ユニットと、複数のデータ処理ソフトウェアとを含むモバイル端末装置の性能を最適化する方法と、そのようなモバイル端末装置に関する。
【背景技術】
【０００２】
モバイル電気通信網においてハンドオーバが行われる場合の準備をするため、通信中のモバイル機器ＵＥ(User Equipment)は、隣接セルを特定しなければならない。このために、モバイル装置は、隣接セルに対する測定を実行することを含むセル探索手続きを適用する。セル探索手続きによって、最適な通信品質を提供するセルに切り替えることが可能になる。セル探索の際、モバイル装置のサンプリングクロックの不正確さ、および／または、モバイル装置が通信中である基地局とモバイル装置が特定すべきセルの間にドップラー(Doppler)偏差が存在する場合に、大きな問題が生じる。
【０００３】
この問題を改善する方法が、２００２年６月２０日に本出願人により出願された仏国特許出願第０２  ０７６１７号明細書に記載されている。この出願で提案されている解決策は、複数の時間ウィンドウにおいて収集された測定サンプルにデジタルフィルタリングを適用して、最新の時間ウィンドウにおいて行われた測定に優位な重みを与えるようにすることである。この解決策は、セルラー網における端末装置の移動速度を考慮に入れていないことに留意されたい。
【０００４】
さらに、セルラー網におけるモバイル端末装置の検出性能は、チャネル伝搬特性に大きく依存している。このようなチャネル伝搬特性のために、送信された信号によって搬送される情報が、振幅、位相、および／または周波数に関して、劣化する可能性がある。この結果、ビット誤り率ＢＥＲ(Bit-Error-Rate)が増大し、提供されるサービスの全体的な品質が低下する。
【０００５】
この劣化を補正するために、従来技術において知られているものは、伝搬チャネルのインパルス応答（ＣＩＲ：Channel Impulse Response）を推定し、その推定に応じて計算された補正を受信信号に適用することからなる。この推定の精度は、とりわけ端末装置の移動速度に応じて異なる。この精度を向上させるために、公知の技術は、例えば、H. Andoh、M. SawahashiおよびF. Adachiによる論文、"Channel estimation filter using time-multiplexed pilot channel for coherent RAKE combining in DS-CDMA mobile radio," IEICE Trans. Commun., Vol. E81-B, No. 7、1998年7月に記載されたＷＭＳＡ（加重マルチスロット平均(Weighted Multi-slot Averaging)）と呼ばれる技術に基づくフィルタリングなどの、特定のデジタルフィルタリングを適用することからなる。
【０００６】
この方法の欠点は、デジタルフィルタの係数を計算するために、端末装置の移動速度に直接に関連付けられるチャネルの動的な特性を、先験的に（すなわちあらかじめ）知っている必要があることに由来する。
【０００７】
さらに、公にされた研究、とりわけH. HolmaおよびA. Toskalaによる論文、"WCDMA for UMTS," Wiley & Sons、２０００年で公表された研究は、閉ループ電力制御は、時速１００ｋｍを超える速度に関して無効であることが明らかにしている。また、この速度を超えた場合、基地局に電力制御コマンドを送信することも効果がない。
【０００８】
この問題に対する第１の解決策は、そのコマンドの送信を完全に停止することにある。ただし、現在の技術規格により、そうすることは許されていない。
【発明の開示】
【発明が解決しようとする課題】
【０００９】
本発明の目的は、モバイル端末装置のハードウェアリソースの性能とソフトウェアリソースの性能を同時に向上させることを、モバイル端末装置の使用条件を表わすパラメータをモバイル端末装置に供給することで可能にする、簡単な方法を提案することである。
【課題を解決するための手段】
【００１０】
本発明は、無線通信モジュールと中央演算ユニットと複数のデータ処理ソフトウェアとを含むモバイル端末装置の性能を最適化する方法を提案する。
【００１１】
本発明による方法は、
端末装置の移動速度を外部ソースから捕捉するステップと、
捕捉された速度をデータ処理ソフトウェアのそれぞれに配信するステップと、を含む。
【００１２】
好ましくは、捕捉された移動速度は、各データ処理ソフトウェアにおける処理の性質、および移動速度の値に応じて配信される。
【００１３】
第１の実施形態では、移動速度の捕捉は、手動で行われる。すなわち、外部ソースとして利用者によって移動速度が入力される。
【００１４】
第２の実施形態では、移動速度は、自動的にリアルタイムで端末装置によって検出される。
【００１５】
本発明は、無線通信モジュールと、中央演算ユニットと、セル探索アルゴリズムと、閉ループ電力制御アルゴリズムと、電力を節約するために送信ダイバーシチを非活性化するアルゴリズムと、を含むモバイル端末装置に適用される。
【００１６】
本発明による端末装置は、端末装置の移動速度を外部ソースから捕捉するための通信インターフェースと、捕捉された速度を各アルゴリズムのソフトウェアのそれぞれに配信するためのコマンドモジュールと、をさらに含む。
【００１７】
第１の実施形態では、通信インターフェースは、端末装置の移動速度をリアルタイムで自動的に捕捉するモジュールを含む。例えば、自動車の速度を示す信号を出力する外部ソースから、端末装置の移動速度を自動的に捕捉する。
【００１８】
第２の実施形態では、通信インターフェースは、端末装置の移動速度を無線で受信する手段を含む。すなわち、外部ソースから無線によって移動速度が通知される。
【００１９】
第３の実施形態では、端末装置は、移動速度を含む特定のメッセージを通信網の基地局に送信するための手段を含む。
【００２０】
基地局は、チャネル推定アルゴリズムと、マルチパス探索アルゴリズムと、端末装置によって基地局に送信された移動速度を活用して、基地局のレベルでもモバイル装置のレベルでも受信性能を向上させることができる電力制御アルゴリズムと、を含む。
【発明の効果】
【００２１】
本発明によれば、モバイル端末装置の移動速度を捕捉し、捕捉した移動速度を各アルゴリズムのデータ処理ソフトウェアにそれぞれ配信することによって、各アルゴリズムは、端末装置の移動速度を考慮して処理を行うことができるので、端末装置のハードウェアリソースの性能とソフトウェアリソースの性能を同時に向上させることが可能になる。
【００２２】
本発明のその他の特徴および利点は、添付の図を参照して、非限定的な例として受け取られるべき以下の説明から明白となる。
【発明を実施するための最良の形態】
【００２３】
以下の説明は、ＧＳＭ(Grobal System for Mobile communication)／ＵＭＴＳ(Universal Mobile Telecommunications System)通信網におけるモバイル端末装置の検出性能を向上させることに関する。
【００２４】
本発明の着想は、端末装置が使用される環境に関する先験的な情報を端末装置に供給して、その環境に応じて信号処理アルゴリズムをパラメータ設定することである。
【００２５】
本発明による方法の主要なステップを示している図１を参照すると、まず、最初のステップ２において、端末装置の使用環境に関する情報を外部ソースから回収する。
【００２６】
このために、モバイル端末装置は、ユーザが、表示スクリーン上で自らの移動速度を選択し、その選択を手動で確認することを可能にするインターフェースを含む。したがって、ユーザが静止している場合、捕捉される速度はゼロである。
【００２７】
ユーザが端末装置とともに徒歩で移動する場合、自動的に捕捉されるまたは検出される速度は、表示スクリーン上で、時速３ｋｍから１０ｋｍの範囲内の速度に対応するアイコンで表わされる。
【００２８】
端末装置が自動車内で使用される場合、捕捉される速度は、例えば、時速１０ｋｍのステップで変化する速度範囲にそれぞれが対応する複数のアイコンで表わされることが可能である。
【００２９】
端末装置が列車内で使用される場合、捕捉される速度は、例えば、時速５０ｋｍのステップで変化する速度範囲にそれぞれが対応する複数のアイコンで表わされる。
【００３０】
一変形実施形態では、速度は、端末装置によって自動的に検出される。この実施形態は、端末装置が移動している自動車内または列車内で使用されるケースに特に適合している。
【００３１】
自動車内で使用される場合、端末装置は、ハンズフリーキットと、自動車とモバイル装置の移動速度を直接にリアルタイムで収集するために車両内にその目的で設けられた接続ソケットに適合したコネクタと、を備える。
【００３２】
列車内で使用される場合、情報は、Ｂｌｕｅｔｏｏｔｈ技術またはＷｉ−Ｆｉ技術を使用して列車内でブロードキャスト（放送）されることが可能である。
【００３３】
したがって、端末装置は、以上の技術のいずれかをサポートするのに必要なハードウェア構成要素、ならびに列車内でブロードキャストされる情報の探索を定期的に実行するプログラムを備える。
【００３４】
ステップ４において速度が捕捉または検出される。捕捉された速度は、その後、以下の、端末装置の動作性能を最適化するための、データ処理ソフトウェアに同時に配信される（ステップ６）。すなわち、
チャネル推定８、
セル探索１０、
電力制御１２、
送信ダイバーシチ１４、
伝搬チャネルのインパルス応答の推定のフィルタリング１６、
電力プロファイルの推定のフィルタリング１８、
整合性のある推定のための平均化ウィンドウサイズの計算２０、
の各データ処理ソフトウェアである。そして、これらのデータ処理ソフトウェアにおける信号処理アルゴリズムにおいて、端末装置の移動速度を用いて処理が実行される。このとき、捕捉された移動速度は、各データ処理ソフトウェアにおける処理の性質、および移動速度の値に応じて配信されることが好ましい。
【００３５】
なお、以上に述べた信号処理アルゴリズムの大部分では、端末装置の移動速度を正確に知る必要がないことに留意されたい。
【００３６】
図２は、本実施形態におけるモバイル端末装置の構成の一例を示している。モバイル端末装置は、基地局との無線通信を行うための無線通信モジュール５０と、中央演算ユニット５２と、その端末装置の動作性能を最適化するためのデータ処理ソフトウェアにそれぞれ対応する複数の処理部５４と、端末装置の移動速度を外部ソースから捕捉するための通信インターフェース５６と、捕捉された移動速度を各データ処理ソフトウェアすなわち各処理部５４のそれぞれに配信するためのコマンドモジュール５８と、を備えている。通信インターフェース５６は、端末装置の移動速度を無線で受信する受信部５８を備えていてもよい。あるいは、通信インターフェース５６は、端末装置の移動速度をリアルタイムで自動的に捕捉する速度捕捉モジュール６０を含んでいてもよい。
【００３７】
また、端末装置は、捕捉された移動速度を、その移動速度を含む特定のメッセージとして、無線通信モジュール５０を介して通信網の基地局に送信するための速度送信部６２を備えていてもよい。
【００３８】
本実施形態によるモバイル端末装置が用いられるネットワークでは、基地局は、チャネル推定アルゴリズムと、マルチパス探索アルゴリズムと、端末装置によって基地局に送信された移動速度を活用して、基地局のレベルでもモバイル装置のレベルでも受信性能を向上させることができる電力制御アルゴリズムと、を含むことが好ましい。
【図面の簡単な説明】
【００３９】
【図１】本発明による方法の主要なステップを示す図である。
【図２】本発明によるモバイル端末装置の構成を示すブロック図である。
【符号の説明】
【００４０】
２，４，６    ステップ
８、１０、１２、１４、１６、１８、２０    データ処理ソフトウェア（アルゴリズム）
５０    無線通信モジュール
５２    中央演算ユニット
５４    処理部
５６    通信インタフェース
５８    コマンドモジュール
６０    受信部
６２    速度捕捉モジュール
６４    速度送信部
【図１】
2004229302.tif 000003
【図２】
2004229302.tif 000004